【手続補正書】
【提出日】平成27年1月6日(2015.1.6)
【手続補正１】
【補正対象書類名】明細書
【補正対象項目名】全文
【補正方法】変更
【補正の内容】
【発明の詳細な説明】
【発明の名称】クロスホールスライドシステム
【技術分野】
【０００１】
本発明は、単館の劇場、連なる大小複数の劇場及び円形劇場における移動舞台による劇場運営システム。
【背景技術】
【０００２】
日本に限らず世界中の劇場が旧作舞台から新作舞台に装いを変えるとき、５日から７日程度の休館を余儀なくされている。
それは、固定された舞台で旧作の各幕のセットを外し、新作の各幕のセットを設置し、本稽古を行うのに最低限の日数なのである。
とはいえ、この休館日は可能であれば取り除いてよい無駄な日時なのである。
文化大国といわれているフランスに決して劣ることのない文化を潜在させながら、眠らせたままであったり、継続することなく消滅する日本の文化事情には、とくに重要なテーマといえる。
文化継承に大事な要素は環境作りである。
それは、劇場で例を上げれば、老若男女がこぞって足を運んでくれるプログラム。
庶民的料金体系を確立するためのシステム。
リピートを高める工夫。
外国人旅行者が認める文化施設。
等々の環境の構築である。
【発明の概要】
【発明が解決しようとする課題】
【０００３】
従来より劇場には、本舞台と稽古用の裏舞台が二つあり、単純に稽古用舞台は生かされていなかった。
ところが、当システムの登場により、演劇やコンサートだけではなく、あらゆる催しに活用が予想され、現在稼働している劇場や会館に設置されている舞台にも応用できるわけで、舞台の革命的変革になり得る。
【課題を解決するための手段】
【０００４】
本発明のクロスホールスライドシステムは、劇場内、及び劇場と他の劇場の間において舞台を観客数や変化する諸条件に合わせてクロスさせる方法で、演目の新旧交代時の舞台装置入れ替え、及び舞台稽古等に要する５日から７日の休館日の解消による効率的な劇場運営を特徴とする。
この劇場運営の変革により、例えば単館の劇場も休館日を営業日に変えることができ、また、複数の劇場を大小交叉に連ねれば観客数に合った公演が常時可能になり、光熱費や劇場運営の無駄を省くことができる。
このクロスホールスライドシステムは、単価の面でもメリットがある。
たとえば、敷地内の複数の劇場で色々なジャンルの芸能を上演する形態にした場合、趣
味が違う者同士が一緒に足を運んでくれる相乗効果も発生するわけで、単館興業であっても公演回数を増やすことができる。
入場者が増え公演回数が増えれば当然の結果として原価が安くなり、観賞チケットも安く設定できるわけで、観賞人口増にも寄与できる。
また、当システムは警備員や案内係の円滑活用でもあり、運営費削減にもなる。
たとえば、敷地内の複数劇場を連動して運営する場合、各劇場の開演時間を操作することで、警備員や案内係の複数劇場の掛け持ちが可能になり、警備員や案内係を開演と閉演に間を開けず繰り返し従事させることができ、従来とは比べものにならない労働効率を生むわけであり、芸能の活性化の要因にもなり得る。
さらに、このクロスホールスライドシステムの劇場は文化的メリットにも貢献する。
それは、劇場の集合により、大勢が来客するメッセンジャーな芸能で利益を上げる一方で、少数派の人にしか人気がない芸能も文化として全体を盛り上げる枝葉として欠かせない存在になり得る。
文化的商業施設として永続的に繁営する条件は総体的黒字を前提にした、この部分的赤字こそが事業に厚味を加えると共に文化的価値を高める要因である、特に歴史に彩られた芸能は外国人に人気があることも見逃せないわけで、国際的な文化施設としての地位を築くためにも欠かせないメニューが潜んでいる。
【発明の効果】
【０００５】
舞台が可動式で動き移動ができることで、固定式の本舞台や裏舞台による従来の劇場では余儀なくされていた休館日を無くすことにより、年間で約２ヵ月の公演増を実現できる。
また、舞台が劇場から劇場へ移動できることで、観賞客の人数に合った劇場で公演が行われ、効率的である。
さらに、椅子に余裕の幅を設けてやることで隣同志の気遣いが薄れ、より快適な観賞を促す。
これらの観客にやさしい運営が新たな客を掘り起こし世界の芸能の発展にも寄与する。
尚、クロスホールスライドシステムの可動方法は、規模、環境、立地条件などの要件により油圧式であったり、電動式であったり、レール式であったり、そこに合致する様々な施行方法を採用することで、それに似合った施行方法を容認し、施工者の得意とする稼動技術を添え、施行方法の進歩を促し、日本のそして世界の文化事業発展に貢献する。
【図面の簡単な説明】
【０００６】
【図１】実施の形態であるクロスホールスライドシステムの概要を示すシステム構成図である。
【発明を実施するための形態】
【０００７】
図１は実施の形態であるクロスホールスライドシステム構成図である。
本実施の形態のクロスホールスライドシステムは、大劇場１、中劇場２、小劇場３等と客席２０、客席２１、客席２２と本舞台４、本舞台５、本舞台６と裏舞台７、裏舞台８、裏舞台９及び予備裏舞台１９などによって構成されている。
中劇場２、小劇場３にある本舞台５、本舞台６と裏舞台８、裏舞台９は、自在に動く可動式舞台であり、共に本舞台５、本舞台６から裏舞台８、裏舞台９へ、また、裏舞台８、裏舞台９から本舞台５、本舞台６へ移動でき、或いは共にその他の劇場へリモコン操作で他の劇場２３へ場外移動１３できるようになっている。
可動式１０、垂直可動式１１、水平可動式１２は大道具、小道具、その他演目進行上必要な美術、スライド劇画などの総ての舞台道具を乗せたまま移動できる。
この可動式１０、垂直可動式１１、水平可動式１２によって移動可能になった舞台は舞台設営及び本舞台での稽古、そして、舞台解体などの場所を自在に移動できるので、固定式舞台では考えられなかった変革である。
この変革は、新作と旧作の入れ替えに費やしていた１ヵ月平均５日から７日の休館日が不要になると同時に複数の演目、例えば午前はミュージックコンサート、午後は演劇といったような過去に例のない公演が可能になる。
固定式舞台の月平均の休館日は１ヵ月公演の場合は５日であり、１日公演や３日公演や１週間公演などの短期公演の休館日は一月に７日程度であり、一劇場当り年間約２ヵ月以上の稼働日をこの可動式１０、垂直可動式１１、水平可動式１２のシステムが増やしてくれる。
さらに、設営された舞台をそっくりそのまま、例えば、小劇場３から中劇場２に移動できる訳であるから、前売り券が予測以上の大人気１５であっても予測以下の不人気１６であっても即日の下、舞台を移動し、客数に適した劇場で上演し、雰囲気、及び経済効果を適切に発揮させることができる。
通常の中規模劇場では対処できない超人気演目を上演する大劇場1には、相互にリンクする垂直可動式１１と水平可動式１２を備え、中劇場２、小劇場３との効率的劇場運営の相乗効果をさらに高め、従来にないより多くの観客動員を実現する。
大劇場1の演目はコンサートやサーカスなどが中心になるが、この劇場の特徴は奈落１４の中央に垂直可動式１１を設け、上階の全方位劇場１７に本舞台４が昇る設計にすることで、観客が舞台を３６０度囲むことになり、観客が従来よりも舞台により近くなる。
そこで、通常の扇型の舞台とは違い、舞台の袖はどうするのか、花道はどうするのか、幕はどうするのか、といった問題が出てくる。当然、それらの問題解決がなければ、当案の奈落１４の裏舞台７、予備裏舞台１９は成立しない。
先ず花道は舞台を中心に交叉型花道２４を観客席の間に通す。袖上り２５は奈落１４から螺旋階段等で繋ぐ。そして、幕は舞台を取り囲む筒状の提灯幕１８が奈落１４から昇り、そして下りる。
もちろん、舞台は他の劇場同様、水平可動式１２により本舞台４、裏舞台７または予備裏舞台１９が入れ替わり、垂直可動式１１により大仕掛けの舞台を日夜入れ替えることが  
可能になり、例えば一日に演目の違うビッグコンサートを複数回公演することも可能になる。
このようにクロスホールスライドシステムは、観客にとっても運営者にとっても出演者にとっても多くのメリットを提供すると同時に、それらが最良の作品を作り、観せ、感動を与えることに繋がり、ひいては文化芸能の発展に資することができる。
【符号の説明】
【０００８】
１  大劇場
２  中劇場
３  小劇場
４  本舞台
５  本舞台
６  本舞台
７  裏舞台
８  裏舞台
９  裏舞台
１０  可動式
１１  垂直可動式
１２  水平可動式
１３  場外移動
１４  奈落
１５  大人気
１６  不人気
１７  全方位円形劇場
１８  提灯幕
１９  予備裏舞台
２０  客席
２１  客席
２２  客席
２３  他の劇場
２４  交叉型花道
２５  袖上り
【手続補正２】
【補正対象書類名】特許請求の範囲
【補正対象項目名】全文
【補正方法】変更
【補正の内容】
【特許請求の範囲】
【請求項１】
劇場の本舞台と裏舞台が交叉し、大小の劇場間で舞台が移動する可動式舞台、及び劇場の客席の距離を縮める全方位円形劇場等による観客動員及び経済効果を促すことを特長とするクロスホールスライドシステム。
【請求項２】
前記劇場の本舞台や裏舞台そして劇場間を可動式舞台によって舞台を移動させ観客数に合った上演と新旧公演クロス時の即日クロスを行うことができる請求項１記載のクロスホールスライドシステム。
【請求項３】
前記大劇場の舞台を中央に設置し、その舞台を客席で、全方位円形型で包囲し舞台と客席距離を縮める請求項１に関るクロスホールスライドシステム。
【請求項４】
請求項１、請求項２、請求項３の連係による相乗効果のクロスホールスライドシステム
【手続補正４】
【補正対象書類名】図面
【補正対象項目名】全図
【補正方法】変更
【補正の内容】
【図１】
2015113561.tif 000001